【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
基板と、
前記基板上に設けられた複数の光反射層と、
前記光反射層を覆うように設けられた透明な誘電体層と、
前記複数の光反射層各々に対応して前記誘電体層上に設けられた発光素子とを備え、
複数の前記発光素子の各々は、透明な画素電極と、該画素電極に対して前記基板とは反対側に設けられた半透明な対向電極と、該画素電極と該対向電極の間に介在する発光層とを有し、
前記発光層が発する光は前記対向電極を通って放出され、
前記複数の発光素子のうち第１の発光素子が有する前記対向電極を通って放出される第１の光の色は、前記複数の発光素子のうち第２の発光素子が有する前記対向電極を通って放出される第２の光の色と異なり、
前記画素電極は、当該画素電極に対応する前記光反射層の全体に重なるように当該光反射層よりも大きな面積を有し、
前記第１の発光素子が有する前記画素電極の厚さは、前記第２の発光素子が有する前記画素電極の厚さと異なっていることを特徴とする発光装置。
【請求項２】
前記第１の発光素子と前記第２の発光素子のうち少なくとも一方が有する前記画素電極は、互いに同一材料からなる複数の層が積層されてなり、
前記複数の層のうち第１の層と第２の層とを比較したとき、該第１の層は該第二の層と前記基板との間に設けられており、該第２の層は、該第１の層の全体を覆うように該第１の層よりも大きな面積を有することを特徴とする請求項１に記載の発光装置。
【請求項３】
前記第１の光を放出する前記第１の発光素子が有する前記画素電極は、互いに同一材料からなる２つの層が積層されてなり、
前記第２の光を放出する前記第２の発光素子が有する前記画素電極は、互いに同一材料からなる３つの層が積層されてなり、
前記第１の光の色と前記第２の光の色のいずれとも異なる色の第３の光を放出する第３の発光素子が有する前記画素電極は、単層であり、
前記第１の光の色は緑色であり、
前記第２の光の色は赤色であり、
前記第３の光の色は青色であることを特徴とする請求項２に記載の発光装置。
【請求項４】
前記発光素子を挟んで前記基板とは反対側に配置された遮光膜をさらに備え、
前記遮光膜には、前記発光素子から放出された光を透過させる複数の光透過部が形成され、
前記複数の光反射層のうち一の光反射層は、前記複数の光透過部のうち一の光透過部の全体に重なるように、前記一の光透過部よりも大きな面積を有することを特徴とする請求項１から請求項３のいずれか１項に記載の発光装置。
【請求項５】
前記光反射層よりも下層側に遮光層が配置され、
前記遮光層の下に、前記発光素子を駆動するための薄膜トランジスタが配置されていることを特徴とする請求項１から請求項４のいずれか１項に記載の発光装置。
【請求項６】
請求項１から請求項５のいずれか１項に記載の発光装置を備える電子機器。
【手続補正２】
【補正対象書類名】明細書
【補正対象項目名】００１０
【補正方法】変更
【補正の内容】
【００１０】
本発明に係る発光装置は、基板と、前記基板上に設けられた複数の光反射層と、前記光反射層を覆うように設けられた透明な誘電体層と、前記複数の光反射層各々に対応して前記誘電体層上に設けられた発光素子とを備え、複数の前記発光素子の各々は、透明な画素電極と、該画素電極に対して前記基板とは反対側に設けられた半透明な対向電極と、該画素電極と該対向電極の間に介在する発光層とを有し、前記発光層が発する光は前記対向電極を通って放出され、前記複数の発光素子のうち第１の発光素子が有する前記対向電極を通って放出される第１の光の色は、前記複数の発光素子のうち第２の発光素子が有する前記対向電極を通って放出される第２の光の色と異なり、前記画素電極は、当該画素電極に対応する前記光反射層の全体に重なるように当該光反射層よりも大きな面積を有し、前記第１の発光素子が有する前記画素電極の厚さは、前記第２の発光素子が有する前記画素電極の厚さと異なっていることを特徴とする。
【手続補正３】
【補正対象書類名】明細書
【補正対象項目名】００１２
【補正方法】変更
【補正の内容】
【００１２】
好ましくは、前記第１の発光素子と前記第２の発光素子のうち少なくとも一方が有する前記画素電極は、互いに同一材料からなる複数の層が積層されてなり、前記複数の層のうち第１の層と第２の層とを比較したとき、該第１の層は該第二の層と前記基板との間に設けられており、該第２の層は、該第１の層の全体を覆うように該第１の層よりも大きな面積を有する。
上記の通り、光を共振させるため、共振構造内での光路の光学距離は共振させるべき光の波長に比例するように設定される。従って、放出光のピーク波長が他の発光素子よりも長い発光素子の画素電極は、他の発光素子の画素電極よりも厚さが大きい。つまりＲ光を放出する発光素子の画素電極は、Ｇ光を放出する発光素子の画素電極よりも厚く、Ｇ光を放出する発光素子の画素電極は、Ｂ光を放出する発光素子の画素電極よりも厚い。このような厚い画素電極を同一材料の複数の層で形成すれば、それらの層のいずれかは、他の発光素子の画素電極（またはその中の層）と同一工程で形成することができて、製造時間を短縮化することができる。このような厚い画素電極のうち、基板から遠い方の層は、この画素電極のうち基板に近い方の層の全体を覆うように、この近い方の層よりも大きな面積を有するので、基板に近い方の層よりも小さい場合に比べて、この画素電極の縁の付近における厚さが不均一な箇所を小さくすることができる。従って、目的とする波長の光に他の波長の光が混ざるおそれがさらに減少し、目的とする色の純度を向上させることが可能である。
【手続補正４】
【補正対象書類名】明細書
【補正対象項目名】００１３
【補正方法】変更
【補正の内容】
【００１３】
好ましくは、前記第１の光を放出する前記第１の発光素子が有する前記画素電極は、互いに同一材料からなる２つの層が積層されてなり、前記第２の光を放出する前記第２の発光素子が有する前記画素電極は、互いに同一材料からなる３つの層が積層されてなり、前記第１の光の色と前記第２の光の色のいずれとも異なる色の第３の光を放出する第３の発光素子が有する前記画素電極は、単層であり、前記第１の光の色は緑色であり、前記第２の光の色は赤色であり、前記第３の光の色は青色である。
この構造によれば、Ｒ光を放出する発光素子の画素電極のうちの一層、およびＧ光を放出する発光素子の画素電極のうち一層は、Ｂ光を放出する発光素子の画素電極と同一工程で形成することができ、Ｒ光を放出する発光素子の画素電極のうちの他の一層は、Ｇ光を放出する発光素子の画素電極のうち他の一層と同一工程で形成することができる。従って、製造時間を短縮化することができる。
【手続補正５】
【補正対象書類名】明細書
【補正対象項目名】００１４
【補正方法】変更
【補正の内容】
【００１４】
好ましくは、この発光装置は、前記発光素子を挟んで前記基板とは反対側に配置された遮光膜をさらに備え、前記遮光膜には、前記発光素子から放出された光を透過させる複数の光透過部が形成され、前記複数の光反射層のうち一の光反射層は、前記複数の光透過部のうち一の光透過部の全体に重なるように、前記一の光透過部よりも大きな面積を有する。この構成では、発光素子から放出された光は、遮光膜に形成された光透過部を通過する。
光透過部は、これに重なった光反射層よりも小さいので、光反射層の縁で反射されたり、光反射層の縁に重なった箇所を通過した光が、光透過部を通過することが抑制される。また、画素電極の縁およびこの縁に重なった箇所を通過した光が光反射層で反射されても、そのような光が光透過部を通過することが抑制される。
【手続補正６】
【補正対象書類名】明細書
【補正対象項目名】００１５
【補正方法】変更
【補正の内容】
【００１５】
さらに、前記光反射層よりも下層側に遮光層が配置され、前記遮光層の下に、前記発光素子を駆動するための薄膜トランジスタが配置されていると好ましい。この構成では、光反射層よりも基板に近い位置に配置された薄膜トランジスタが、光反射層よりも薄膜トランジスタよりも近い位置に配置された遮光層によって覆われる。従って、外光または発光素子の発光が薄膜トランジスタに到達することが抑制され、光電流が薄膜トランジスタに流れて薄膜トランジスタが誤動作することが防止される。